(57)【要約】【課題】害虫を誘い出す誘引剤及び害虫を殺す殺虫剤を使用せずに害虫を効率的に捕えて殺すことが可能な構造が簡易で作業性に優れた害虫捕殺装置を提供する。【解決手段】害虫捕殺装置１０は、粘着テープロール１１からそれぞれ巻き解かれて、両端部が支持された粘着面１２を表側にして実質的に垂直状態で並べられた複数の黄色系の粘着テープ１３を備えた害虫捕捉部１４と、害虫捕捉部１４の上側に配置されて粘着面１２を照らす集虫灯１６とを有し、集中灯１６は黄色系又は白色系の光を発するのがよく、害虫捕捉部１４の背面側には、黄色系又は白色系の幕１５が張られていることが好ましい。【選択図】図１
0003117329.tif 000002
【実用新案登録請求の範囲】
【請求項１】
粘着テープロールからそれぞれ巻き解かれて、両端部が支持され、粘着面を表側にして実質的に垂直状態で並べられた複数の粘着テープを備えた害虫捕捉部と、
前記害虫捕捉部の上側に配置されて前記粘着面を照らす集虫灯とを有することを特徴とする害虫捕殺装置。
【請求項２】
請求項１記載の害虫捕殺装置において、前記粘着テープの粘着面は黄色系で、前記集中灯は黄色系又は白色系の光を発することを特徴とする害虫捕殺装置。
【請求項３】
請求項１記載の害虫捕殺装置において、前記害虫捕捉部の背面側には、黄色系又は白色系の幕が張られていることを特徴とする害虫捕殺装置。
【請求項４】
請求項１記載の害虫捕殺装置において、前記各粘着テープ基端側は巻き解かれた前記粘着テープロールに連結し、該粘着テープロールは該粘着テープロールの筒状芯材を挿通するロール支持部材により実質的に水平に支持されていることを特徴とする害虫捕殺装置。
【請求項５】
請求項４記載の害虫捕殺装置において、実質的に水平状態に保持されて、前記粘着テープロールから引き出された前記粘着テープの先端部が固定されるテープ支持部材が設けられ、該テープ支持部材は実質的に垂直方向上側に移動可能であることを特徴とする害虫捕殺装置。
【請求項６】
複数の粘着テープロールからそれぞれ巻き解かれて、粘着面を表側にして実質的に垂直状態で並べられた黄色系の粘着テープを備えた害虫捕捉部と、
前記害虫捕捉部の背面側に一体的に張られた黄色系又は白色系の幕と、
前記害虫捕捉部の上側に配置され、黄色系又は白色系の光を発して前記粘着面を照らす集虫灯と、
前記各粘着テープロールの筒状芯材をそれぞれ挿通し該粘着テープロールを実質的に水平に支持するロール支持部材と、
実質的に水平状態に保持されて前記各粘着テープの先端部がそれぞれ固定されるテープ支持部材と、
前記テープ支持部材に一端が固定されるワイヤ、該ワイヤの中間部を支持する滑車機構、及び該ワイヤの他端側を巻き取り該ワイヤの一端を実質的に垂直方向上側に移動させるワイヤ巻き取り機を備えた駆動手段とを有することを特徴とする害虫捕殺装置。
【考案の詳細な説明】
【技術分野】
【０００１】
本考案は、大量発生した害虫、例えば、ハエを駆除する害虫捕殺装置に関する。
【背景技術】
【０００２】
従来、大量発生するハエを継続的に駆除する装置として、上方に配置された上側中空管と下方に配置された下側中空管を複数の中空紐を縄のれん状に垂下して連通し、ポンプでハエ誘引剤とハエ殺虫剤との混合薬液を上側中空管内に供給し中空紐内を通過させることにより混合薬液を循環させながら中空紐の外周面に混合薬液をしみ出させて湿潤させ、ハエ誘引剤でハエを誘き出しこの中空紐の外周面に止まらせて、その外周面を舐めさせハエに殺虫剤を摂取させて殺すハエ駆除装置が提案されている（例えば、特許文献１参照）。
【０００３】
【特許文献１】特開２００３−１８０２２２号公報
【考案の開示】
【考案が解決しようとする課題】
【０００４】
しかしながら、特許文献１に記載された発明では、ハエ誘引剤及びハエ殺虫剤が粉末状である場合は水に溶解させたり、液状である場合は水で希釈するといった調合作業が必要になる。また、ハエ殺虫剤は動物用医薬品であり、稀に有機リン酸剤共通の急毒性を示すことがあり、取り扱いや使用に際して特に注意が必要で、調合作業上及び使用上において種々の制約が生じるという問題がある。更に、ハエ誘引剤とハエ殺虫剤の混合薬剤を消費量に応じて、例えば、１回／月の頻度で補給する必要もあり、しかも、混合薬剤の循環用のポンプや、上側中空管、下側中空管、及び中空紐等の配管系統の保守点検を定期的に行なわなければならないという問題がある。
【０００５】
本考案はかかる事情に鑑みてなされたもので、害虫を誘い出す誘引剤及び害虫を殺す殺虫剤を使用せずに害虫を効率的に捕えて殺すことが可能な構造が簡易で作業性に優れた害虫捕殺装置を提供することを目的とする。
【課題を解決するための手段】
【０００６】
前記目的に沿う第１の考案に係る害虫捕殺装置は、粘着テープロールからそれぞれ巻き解かれて、両端部が支持され、粘着面を表側にして実質的に垂直状態で並べられた複数の粘着テープを備えた害虫捕捉部と、
前記害虫捕捉部の上側に配置されて前記粘着面を照らす集虫灯とを有する。
害虫捕捉部に黄色系の粘着テープを使用することで、害虫、例えば、黄色の物体を特に好むハエを効率的に粘着テープの粘着面に誘い込み、粘着面に接着して捕捉することができる。また、粘着テープには殺虫剤成分が含まれないため、粘着テープの取り扱いが容易になる。しかも、並べる粘着テープの本数を多くすることで害虫捕捉部の面積を容易に広くすることができる。更に、集中灯を設けることで粘着面を照らして粘着面を周囲から際立たせることができ、害虫を粘着面に誘い込む作用を大きくすることができる。
【０００７】
第１の考案に係る害虫捕殺装置において、前記粘着テープの粘着面は黄色系で、前記集中灯は黄色系又は白色系の光を発することができる。
これによって、黄色系の色を好む害虫を粘着面に誘き寄せることができる。また、黄色系の光を発する場合は粘着面の色調を強めることができ、白色系の光を発する場合は粘着面を周囲からより際立たせることができる。
【０００８】
第１の考案に係る害虫捕殺装置において、前記害虫捕捉部の背面側には、黄色系又は白色系の幕が張られていることが好ましい。
これによって、害虫捕捉部の面積を見掛け上広くして、例えば、黄色系又は白色系の物体を好むハエを広範囲から引き寄せることができる。
【０００９】
第１の考案に係る害虫捕殺装置において、前記各粘着テープ基端側は巻き解かれた前記粘着テープロールに連結し、該粘着テープロールは該粘着テープロールの筒状芯材を挿通するロール支持部材により実質的に水平に支持することができる。
これによって、粘着テープロールから粘着テープを容易に巻き解くことができると共に、巻き解いた粘着テープの基端部を支持することができる。
【００１０】
第１の考案に係る害虫捕殺装置において、実質的に水平状態に保持されて、前記粘着テープロールから引き出された前記粘着テープの先端部が固定されるテープ支持部材が設けられ、該テープ支持部材は実質的に垂直方向上側に移動可能とすることができる。
これによって、各粘着テープロールから引き出された粘着テープの先端部をそれぞれテープ支持部材に固定して、実質的に垂直方向上側に移動することにより、各粘着テープロールから粘着テープを同時に、実質的に同一長さだけ巻き解くことができると共に、巻き解いた粘着テープの先端部を支持することができる。
【００１１】
前記目的に沿う第２の考案に係る害虫捕殺装置は、複数の粘着テープロールからそれぞれ巻き解かれて、粘着面を表側にして実質的に垂直状態で並べられた黄色系の粘着テープを備えた害虫捕捉部と、
前記害虫捕捉部の背面側に一体的に張られた黄色系又は白色系の幕と、
前記害虫捕捉部の上側に配置され、黄色系又は白色系の光を発して前記粘着面を照らす集虫灯と、
前記各粘着テープロールの筒状芯材をそれぞれ挿通し該粘着テープロールを実質的に水平に支持するロール支持部材と、
実質的に水平状態に保持されて前記各粘着テープの先端部がそれぞれ固定されるテープ支持部材と、
前記テープ支持部材に一端が固定されるワイヤ、該ワイヤの中間部を支持する滑車機構、及び該ワイヤの他端側を巻き取り該ワイヤの一端を実質的に垂直方向上側に移動させるワイヤ巻き取り機を備えた駆動手段とを有する。
ワイヤ巻き取り機を設けることでワイヤの他端側を容易、かつ素早く巻き取ることができ、テープ支持部材の移動を容易、かつ迅速に行なうことができる。また、滑車機構を設けることにより、ワイヤ巻き取り機の設置場所の制約を受けずに、常にワイヤの一端を実質的に垂直方向上側に移動させることができる。
【考案の効果】
【００１２】
請求項１〜５記載の害虫捕殺装置においては、巻き解いた粘着テープの粘着面に害虫を接着して捕捉するだけなので、薬剤の補充等のメンテナンスを必要とせずに、長期間（例えば、 8ヶ月間程度）に渡って安定して害虫の駆除を行なうことが可能になる。また、殺虫剤を使用していないために使用済みの粘着テープはそのまま一般ごみとして廃棄処分でき、作業性に優れる。更に、粘着面で捕捉した害虫が核となり他の害虫の誘引作用が発揮されるので、害虫の捕捉を効率的に行なうことが可能になり、並べる粘着テープの本数を多くすることで害虫捕捉部の面積を容易に広くすることができ、大量発生した害虫を効率的に駆除することが可能になる。
【００１３】
特に、請求項２記載の害虫捕殺装置においては、粘着面に害虫を誘き寄せることができると共に、粘着面の色調を強めたり、粘着面を周囲からより際立たせることができるので、粘着面における害虫の捕捉率を大きくすることが可能になる。
【００１４】
請求項３記載の害虫捕殺装置においては、害虫を広範囲から引き寄せることができ、害虫の捕捉率を更に大きくすることができる。
【００１５】
請求項４記載の害虫捕殺装置においては、粘着テープロールから粘着テープを容易に巻き解くことができ、害虫捕捉部の形成が容易になる。また、請求項５記載の害虫捕殺装置においては、同時に複数の粘着テープロールから粘着テープを巻き解くことができ、面積の大きな害虫捕捉部を素早く形成することが可能になる。
【００１６】
請求項６記載の害虫捕殺装置においては、粘着テープの粘着面に害虫を捕捉する方式なので、メンテナンスを必要とせずに、長期間に渡って安定して害虫の駆除を行なうことが可能になる。また、並べる粘着テープの本数を多くすることで害虫捕捉部の面積を広くすることができ、集虫灯により粘着面を強調し、害虫捕捉部の背面側に張った幕により害虫を広範囲から引き寄せると共に、捕捉した害虫が他の害虫を誘引する作用を発揮するので、大量発生した害虫を効率的に駆除することが可能になる。更に、使用済みの粘着テープはそのまま一般ごみとして廃棄処分でき、作業性に優れる。
【考案を実施するための最良の形態】
【００１７】
続いて、添付した図面を参照しつつ、本考案を具体化した実施の形態につき説明し、本考案の理解に供する。
ここで、図１は本考案の一実施の形態に係る害虫捕殺装置の正面図、図２は同害虫捕殺装置の側断面図である。
【００１８】
図１、図２に示すように、本考案の一実施の形態に係る害虫捕殺装置１０は、害虫の一例であるハエを捕捉して駆除するもので、複数の粘着テープロール１１からそれぞれ巻き解かれて、粘着面１２を表側にして実質的に垂直状態で並べられた黄色系の粘着テープ１３を備えた害虫捕捉部１４と、害虫捕捉部１４の背面側に一体的に張られた白色系の幕の一例である白色布１５と、害虫捕捉部１４の上側に配置され、例えば、黄色系の光を発して粘着面１２を照らす集虫灯１６とを有している。
更に、害虫捕殺装置１０は、各粘着テープロール１１の筒状芯材１７をそれぞれ挿通し粘着テープロール１１を実質的に水平に支持するロール支持部材１８と、実質的に水平状態に保持されて各粘着テープ１３の先端部がそれぞれ固定されるテープ支持部材１９と、テープ支持部材１９に一端が固定されるワイヤ２０、ワイヤ２０の中間部を支持する滑車機構２１、ワイヤ２０の他端側を巻き取りワイヤ２０の一端を実質的に垂直方向上側に移動させるワイヤ巻き取り機２２を備えた駆動手段２３とを有している。以下、これらについて詳細に説明する。
【００１９】
粘着テープ１３は、例えば、黄色系の剥離紙の一面側に黄色系の粘着剤を塗布して粘着面１２を形成したもので、その基端部を筒状芯材１７の外周面に固定し粘着面１２を表側にして所定長さだけ巻き取ることにより粘着テープロール１１が形成されている。なお、黄色系の粘着剤を使用する場合は、剥離紙は必ず黄色系とする必要はなく、黄色系の剥離紙を使用する場合は、透明の粘着剤を使用することもできる。
ここで、剥離紙の幅、すなわち、粘着テープ１３の幅は、例えば、５０〜３００ｍｍの範囲とすることができる。なお、粘着テープ１３の幅が５０ｍｍ未満となると、一定広さの害虫捕捉部１４を形成するのに多くの粘着テープを使用することになり、好ましくない。一方、粘着テープ１３の幅が３００ｍｍを超えると、粘着テープロール１１から粘着テープ１３を巻き解くのに大きな力を必要とし作業性が低下するので好ましくない。
【００２０】
各粘着テープロール１１の筒状芯材１７にそれぞれ挿通されるロール支持部材１８は、実質的に同一高さ位置に水平状態で保持されるように、その両端部が隙間（水平状態の粘着テープロール１１が装入可能な隙間）を設けて実質的に平行に配置された支持板２４、２５の先部に掛止されて保持されている。そして、各支持板２４、２５の基端部は、各粘着テープロール１１の背面側に、各粘着テープロール１１と平行に配置される、例えば、山型鋼を使用した第１の梁材２６にそれぞれ固定され、第１の梁材２６は複数の第１の取付け材２７を介して、床２８に実質的に垂直状態で間隔を設けて立設され下端に支持板２９を備えた複数（図１では一部省略して３本のみ記載している）の脚材３０の下部側に固定されている。
これによって、ロール支持部材１８で支持された状態の粘着テープロール１１を、ロール支持部材１８の外周面の周りで回転させることができ、ロール支持部材１８で支持された粘着テープロール１１から粘着テープ１３を巻き解くことができる。
【００２１】
図２に示すように、テープ支持部材１９は、各粘着テープロール１１の上方に実質的に水平状態で設けられ、各粘着テープ１３の先端部の折り返された粘着面１２同士で先側がそれぞれ挟まれて各粘着テープ１３と連結されるテープ連結部３１を有している。更に、テープ支持部材１９は、テープ連結部３１と平行に設けられテープ連結部３１の基部側が底部の内側に固定されるチャンネル３２と、チャンネル３２の底部の外側に形成された掛止部３３とを有している。そして、掛止部３３にワイヤ２０の一端が固定されている。
【００２２】
図２に示すように、ワイヤ２０の中間部を支持する滑車機構２１は、脚材３０の上部側に張り出して設けられている第１の支持材３４により、ロール支持部材１８で支持された粘着テープロール１１の上方に保持される第１の滑車３５と、第１の滑車３５の背面側に第１の支持材３４で保持される第２の滑車３６を有している。また、滑車機構２１は、脚材３０の下部側に張り出して設けられている第２の支持材３７により、第２の滑車３６の下方位置に保持される第３の滑車３８を有している。そして、床２８上に台座３９を介して設置されたワイヤ巻き取り機２２にワイヤ２０の他端部を連結し、ワイヤ２０の一端を第３の滑車３８、第２の滑車３６、及び第１の滑車３５の順に通過させて掛止部３３と連結することにより、ワイヤ巻き取り機２２と第３の滑車３８の間の領域、及び第２の滑車３６と第１の滑車３５の間の領域に存在するワイヤ２０を、例えば、実質的に水平状態に保持することができ、第３の滑車３８と第２の滑車３６の間の領域、及び第１の滑車３５と掛止部３３の間の領域に存在するワイヤ２０を、例えば、実質的に垂直状態に保持することができる。
【００２３】
これによって、ワイヤ巻き取り機２２の操作把手４０を回して、ワイヤ２０を巻き取ることによりテープ支持部材１９を実質的に水平状態に保持して垂直方向上向きに移動させて各粘着テープロール１１に対して遠ざけることができ、ワイヤ２０を巻き解くことによりテープ支持部材１９を実質的に水平状態に保持して垂直方向下向きに下げて各粘着テープロール１１に対して近づけることができる。
従って、テープ支持部材１９を各粘着テープロール１１に近づけてテープ連結部３１に各粘着テープ１３の先端部を連結してからワイヤ２０を巻き取ることにより、テープ支持部材１９を上方に移動させながら各粘着テープロール１１から粘着テープ１３を一括して（同時に）巻き解くことができる。その結果、基端部をロール支持部材１８で保持された筒状芯材１７により支持し、先端部をテープ連結部３１により支持して、粘着面１２を表側にして各粘着テープ１３を張った状態で実質的に垂直状態で並べることができ、これによって害虫捕捉部１４を形成することができる。
【００２４】
また、図２に示すように、第１の取付け材２７が下部側に設けられた脚材３０の上部側には、第１の取付け材２７と実質的に同一長さの第２の取付け材４１の基端部が固定され、複数の脚材３０にそれぞれ設けられた第２の取付け材４１の先部には、例えば、山型鋼を使用した第２の梁材４２が取付けられている。そして、第１及び第２の梁材２６、４２には、白色布１５の下端部及び上端部がそれぞれ固定されている。
これによって、害虫捕捉部１４の背面側に白色布１５を張った状態で配置することができる。ここで、白色布１５には織布あるいは不織布のいずれのタイプの布でも使用できる。
【００２５】
更に、図２に示すように、第１の滑車３５の前方斜め下方位置には、上方に移動させたテープ支持部材１９と干渉しないように間隔を設けて、テープ支持部材１９の長手方向と平行に複数の集虫灯１６が図示しない支持材により固定されている。そして、各集虫灯１６には、図１に示す制御盤４３内に設けられた電源部を介して電力が供給され、例えば、粘着面１２の明るさが一定になるように、周囲の明るさに応じて供給される電力量が調整されるようになっている。
【００２６】
続いて、本考案の一実施の形態に係る害虫捕殺装置１０の使用方法について説明する。
先ず、第１及び第２の梁材２６、４２に、白色布１５の下端部及び上端部をそれぞれ固定して、白色布１５を張った状態で保持する。そして、支持板２４、２５の先部に掛止されているロール支持部材１８を外して黄色の粘着テープ１３が巻かれた粘着テープロール１１の筒状芯材１７に挿通する。
【００２７】
次いで、粘着テープロール１１から粘着テープ１３を巻き解いた際に粘着面１２が表側になるように粘着テープロール１１の方向を確認して、ロール支持部材１８が筒状芯材１７を挿通している状態の粘着テープロール１１を支持板２４、２５の隙間に装入しながらロール支持部材１８の両端部をそれぞれ支持板２４、２５の先部に掛止する。これによって、各粘着テープロール１１は、それぞれロール支持部材１８により実質的に水平状態で保持される状態になる。そして、ワイヤ巻き取り機２２の操作把手４０を回して、ワイヤ２０をワイヤ巻き取り機２２から巻き解いてテープ支持部材１９を下降させ、ロール支持部材１８により保持されている各粘着テープロール１１の上端から、例えば、１０〜３０ｃｍ上方の位置で操作把手４０を図示しないロック機構によりロックして停止させる。
【００２８】
続いて、ロール支持部材１８により保持されている各粘着テープロール１１からそれぞれ粘着テープ１３の先端部を引き出す。そして、粘着テープ１３の先端部を粘着面１２が内側になるように折り返しその間にテープ連結部３１の先側を挟んで圧着し、折り返した部分の粘着面１２同士を接着する。これにより、各粘着テープロール１１から引き出された粘着テープ１３の先端部がそれぞれテープ連結部３１に連結された状態になる。
そして、ワイヤ巻き取り機２２の操作把手４０を回して、ワイヤ２０をワイヤ巻き取り機２２で巻き取り、テープ支持部材１９を徐々に実質的に垂直方向上向きに移動させる。テープ支持部材１９の上昇に伴い、引き出された粘着テープ１３を介して粘着テープロール１１は上方に移動するが、筒状芯材１７に挿通されたロール支持部材１８により移動が止められ、粘着テープ１３は張られた状態になる。更に、テープ支持部材１９が上昇すると、粘着テープ１３には更に大きな張力が加わることにより回転を開始し、粘着テープロール１１から粘着テープ１３が張られた状態で徐々に巻き解かれていく。
【００２９】
また、テープ支持部材１９を所定の高さ位置（例えば、テープ支持部材１９の掛止部３３が第１の滑車３５に接触する手前の位置）まで上昇させて、操作把手４０を図示しないロック機構によりロックして停止させる。その結果、ロール支持部材１８とテープ支持部材１９の間には、粘着面１２を表側にして実質的に垂直状態で並べて保持された粘着テープ１３を備えた害虫捕捉部１４が形成される。そして、制御盤４３の電源部のスイッチを入れて、集虫灯１６が点灯して粘着テープ１３の粘着面１２が照らされ、周囲の明るさが変動しても粘着面１２の明るさが常に一定になるように調整する。
【００３０】
ここで、黄色系の光を発する集中灯１６により、害虫捕捉部１４に設けられた粘着テープ１３の粘着面１２の色調が強調され、更に、害虫捕捉部１４の背面側には白色布１５が一体的に張られて害虫捕捉部１４が見掛け上広くなる。このため、ハエは粘着テープ１３及び白色布１５に強く引き寄せられ、害虫捕捉部１４に向かって移動してくるようになり、ハエが害虫捕捉部１４内に進入して粘着テープ１３の粘着面１２に止まると、ハエの足は粘着面１２に強く接着され、ハエは移動の自由を失って捕捉される。また、粘着面１２にハエが捕捉されると、捕捉されたハエが核となり他のハエの誘引作用が発揮される。その結果、ハエが捕捉されるに伴って誘引作用が徐々に大きくなり、より多くのハエを引き寄せて粘着面１２で捕捉することができる。
ここで、粘着テープ１３の粘着面１２に多くのハエが捕捉されてくると、ハエを捕捉することができる粘着面１２の有効面積が減少し、ハエの捕捉効率は低下してくる。このため、粘着面１２の露出割合が、例えば、１０〜３０％になった時点で害虫捕捉部１４を形成している粘着テープ１３を回収し、新しい粘着テープで新たな害虫捕捉部を形成することが望ましい。
【００３１】
ハエが粘着面１２に捕捉している使用済の粘着テープ１３の回収は、例えば、以下のようにして行なう。
先ず、使用済の粘着テープ１３の基端部をカットして筒状芯材１７から切り離す。次いで、ワイヤ巻き取り機２２のロック機構を操作して操作把手４０のロックを解除し、操作把手４０を回して、テープ支持部材１９を下降させ、ロール支持部材１８により保持されている各粘着テープロール１１の上端から、例えば、１０〜３０ｃｍ上方の位置まで下降させて操作把手４０を図示しないロック機構によりロックする。そして、使用済の粘着テープ１３の先端部をテープ支持部材１９のテープ連結部３１から切り離す。
【００３２】
続いて、ロール支持部材１８の両端部を支持板２４、２５の先部から取り外す。これにより、ロール支持部材１８が挿通された状態の筒状芯材１７を支持板２４、２５から取り外すことができ、筒状芯材１７からロール支持部材１８を引き抜くことにより、筒状芯材１７が回収できる。以上の操作により、ハエを捕捉している使用済の粘着テープ１３及び筒状芯材１７を害虫捕殺装置１０から分離することができ、使用済の粘着テープ１３及び筒状芯材１７をまとめて廃棄処分することができる。
【００３３】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の害虫捕殺装置を構成する場合も本考案の権利範囲に含まれる。
例えば、害虫捕捉部の背面側に白色布を張ったが、白色布の代りに青白色あるいは黄白色の布（幕）を使用することもでき、更に、黄色系の色を有する布（幕）を使用してもよい。また、黄色系の光を発する集虫灯を使用したが、白色系の光を発する集虫灯を使用することもできる。
【図面の簡単な説明】
【００３４】
【図１】本考案の一実施の形態に係る害虫捕殺装置の正面図である。
【図２】同害虫捕殺装置の側断面図である。
【符号の説明】
【００３５】
１０：害虫捕殺装置、１１：粘着テープロール、１２：粘着面、１３：粘着テープ、１４：害虫捕捉部、１５：白色布、１６：集虫灯、１７：筒状芯材、１８：ロール支持部材、１９：テープ支持部材、２０：ワイヤ、２１：滑車機構、２２：ワイヤ巻き取り機、２３：駆動手段、２４、２５：支持板、２６：第１の梁材、２７：第１の取付け材、２８：床、２９：支持板、３０：脚材、３１：テープ連結部、３２：チャンネル、３３：掛止部、３４：第１の支持材、３５：第１の滑車、３６：第２の滑車、３７：第２の支持材、３８：第３の滑車、３９：台座、４０：操作把手、４１：第２の取付け材、４２：第２の梁材、４３：制御盤
【図１】
0003117329.tif 000003
【図２】
0003117329.tif 000004